(57)【要約】【課題】移動管理に関するシグナリングの効率化を達成できる移動通信システム、移動管理装置および移動管理制御方法を提供する。【解決手段】移動通信システムは、移動ノード（１１）と、移動ノードの移動管理を行う複数の移動管理ノード（２０．１−２０．４）と、を有し、移動ノードの移動管理を主として実行する１つの移動管理ノード（２０．１）が当該移動ノードの状況およびネットワーク利用状況の変化に応じて移動ノードの移動管理機能の一部を少なくとも１つの他の移動管理ノードおよび／または他の移動ノードへ動的に委任する。【選択図】図２
2011055319.tif 000002
【特許請求の範囲】
【請求項１】
移動ノードと、移動ノードの移動管理を行う複数の移動管理ノードと、を有する移動通信システムであって、
移動ノードの移動管理を主として実行する１つの移動管理ノードが、当該移動ノードの状況およびネットワーク利用状況の変化に応じて、前記移動ノードの移動管理機能の一部を少なくとも１つの他の移動管理ノードおよび／または他の移動ノードへ動的に委任することを特徴とする移動通信システム。
【請求項２】
前記移動管理機能の一部を実行する効率を最大化するように前記少なくとも１つの移動管理ノードおよび／または他の移動ノードが選択されることを特徴とする請求項１に記載の移動通信システム。
【請求項３】
前記移動管理機能の一部は、位置管理機能、パス管理機能、認証管理機能および端末状態管理機能から選択された少なくとも１つの管理機能であることを特徴とする請求項１または２に記載の移動通信システム。
【請求項４】
移動ノードの移動管理を行う移動管理装置であって、
移動ノードの移動管理機能に含まれる複数の管理機能をそれぞれ実行するための複数の管理手段と、
前記移動ノードの状況およびネットワーク利用状況に応じて、前記移動ノードの移動管理機能の一部を少なくとも１つの他の移動管理装置および／または他の移動ノードへ動的に委任する委任処理手段と、
を有することを特徴とする移動管理装置。
【請求項５】
前記委任処理手段は、前記移動管理機能の一部を実行する効率を最大化するように前記少なくとも１つの移動管理装置および／または他の移動ノードを選択することを特徴とする請求項４に記載の移動管理装置。
【請求項６】
前記移動管理機能の一部は、位置管理機能、パス管理機能、認証管理機能および端末状態管理機能から選択された少なくとも１つの管理機能であることを特徴とする請求項４または５に記載の移動管理装置。
【請求項７】
移動ノードの移動管理を行う移動管理装置における移動管理制御方法であって、
前記移動ノードの状況情報およびネットワーク利用状況情報を含む環境情報を取得し、
前記環境情報に応じて、前記移動ノードの移動管理機能の一部と当該移動管理機能の一部の実行に適した少なくとも１つの他の移動管理装置および／または他の移動ノードを動的に選択し、
前記移動管理機能の一部を前記少なくとも１つの他の移動管理装置および／または他の移動ノードへ委任する、
ことを特徴とする移動管理制御方法。
【請求項８】
前記移動管理機能の一部を実行する効率を最大化するように前記少なくとも１つの移動管理装置および／または他の移動ノードを選択することを特徴とする請求項７に記載の移動管理制御方法。
【請求項９】
前記移動管理機能の一部は、位置管理機能、パス管理機能、認証管理機能および端末状態管理機能から選択された少なくとも１つの管理機能であることを特徴とする請求項７または８に記載の移動管理制御方法。
【請求項１０】
移動ノードの移動管理を行う移動管理装置におけるプログラム制御プロセッサに移動管理制御機能を実現させるためのプログラムであって、
前記移動ノードの状況情報およびネットワーク利用状況情報を含む環境情報を取得し、
前記環境情報に応じて、前記移動ノードの移動管理機能の一部と当該移動管理機能の一部の実行に適した少なくとも１つの他の移動管理装置および／または他の移動ノードを動的に選択し、
前記移動管理機能の一部を前記少なくとも１つの他の移動管理装置および／または他の移動ノードへ委任する、
ように前記プログラム制御プロセッサを機能させることを特徴とするプログラム。
【請求項１１】
前記移動管理機能の一部を実行する効率を最大化するように前記少なくとも１つの移動管理装置および／または他の移動ノードを選択することを特徴とする請求項１０に記載のプログラム。
【請求項１２】
前記移動管理機能の一部は、位置管理機能、パス管理機能、認証管理機能および端末状態管理機能から選択された少なくとも１つの管理機能であることを特徴とする請求項１０または１１に記載のプログラム。
【発明の詳細な説明】
【技術分野】
【０００１】
本発明は移動通信システムに係り、特に移動通信システムにおける移動管理を制御する方法および装置に関する。
【背景技術】
【０００２】
近年、３Ｇセルラーシステムに代表される移動通信システムでは、通常、バッテリ駆動の移動ノードが無線通信を行うことから、移動ノードとネットワークとの間の管理メッセージの無線通信を効率化することが望まれている。
【０００３】
たとえば、移動ノードおよび移動管理装置からなる移動通信システムがネットワークを通して通信相手と接続される場合を考える。移動管理装置は、移動ノードの位置を管理し、移動ノードへの転送データを移動ノードの移動に併せて適切な送付先へ送信する機能を有する。このシステムでは、移動ノードの移動に合わせて、移動ノードと移動管理装置の間でトンネルを構築し、通信相手から移動ノード宛のデータはトンネル経由で移動ノードへ送信され、移動ノードから通信相手宛のデータはトンネル経由で移動管理装置へ届けられ、デカプセル化されて通信相手へ送信される。移動管理装置は、移動ノードからの位置登録要求を処理することで移動ノードの位置を管理することができ、移動ノードが移動した場合のハンドオーバにおいて通信サービスの継続を実現することができる（たとえば非特許文献１参照）。
【０００４】
また、特許文献１に開示されたモビリティ制御装置では、地理トポロジ情報やネットワークトポロジ情報を用いて移動端末の状況に応じた最適なローカルドメインと位置登録アンカーポイントを動的に設定し、効率的なモビリティ管理およびハンドオーバ遅延の低減を図っている。
【０００５】
また、特許文献２には、移動局の移動管理機能をそれぞれ有する複数の基地局の各々が自局の負荷状態に応じて位置管理機能の一部を他の基地局へ移行させることにより負荷の偏りを全体的に解消する移動管理制御方法が開示されている。
【先行技術文献】
【特許文献】
【０００６】
【特許文献１】特開２００５−１６７７８３号公報
【特許文献１】特開２００７−２５１５８６号公報
【非特許文献】
【０００７】
【非特許文献１】ＲＦＣ３３４４(IP Mobility Support for IPv4)
【発明の概要】
【発明が解決しようとする課題】
【０００８】
しかしながら、上述した移動通信システムでは、移動端末と移動管理装置との位置関係の変化、移動端末の状況やネットワークの環境変化などが考慮されていない。たとえば、移動端末と移動管理装置との間で定期的なシグナリング処理を行う必要があるが、移動端末と移動管理装置間の距離が非常に遠くなった場合であっても、また移動端末の状況が変化していない場合においても、移動管理サービス全体に関する定期的なシグナリング処理が行われる。このために移動管理に関するシグナリングは依然として非効率である。
【０００９】
そこで、本発明の目的は、移動管理に関するシグナリングの効率化を達成できる移動通信システム、移動管理装置および移動管理制御方法を提供することにある。
【課題を解決するための手段】
【００１０】
本発明による移動通信システムは、移動ノードと、移動ノードの移動管理を行う複数の移動管理ノードと、を有する移動通信システムであって、移動ノードの移動管理を主として実行する１つの移動管理ノードが、当該移動ノードの状況およびネットワーク利用状況の変化に応じて、前記移動ノードの移動管理機能の一部を少なくとも１つの他の移動管理ノードおよび／または他の移動ノードへ動的に委任することを特徴とする。
【００１１】
本発明による移動管理装置は、移動ノードの移動管理を行う移動管理装置であって、移動ノードの移動管理機能に含まれる複数の管理機能をそれぞれ実行するための複数の管理手段と、前記移動ノードの状況およびネットワーク利用状況に応じて、前記移動ノードの移動管理機能の一部を少なくとも１つの他の移動管理装置および／または他の移動ノードへ動的に委任する委任処理手段と、を有することを特徴とする。
【００１２】
本発明による移動管理制御方法は、移動ノードの移動管理を行う移動管理装置における移動管理制御方法であって、前記移動ノードの状況情報およびネットワーク利用状況情報を含む環境情報を取得し、前記環境情報に応じて、前記移動ノードの移動管理機能の一部と当該移動管理機能の一部の実行に適した少なくとも１つの他の移動管理装置および／または他の移動ノードを動的に選択し、前記移動管理機能の一部を前記少なくとも１つの他の移動管理装置および／または他の移動ノードへ委任する、ことを特徴とする。
【発明の効果】
【００１３】
本発明によれば、移動管理に関するシグナリングの効率化を達成できる。
【図面の簡単な説明】
【００１４】
【図１】本発明による移動通信システムの全体的構成例を示すネットワーク構成図である。
【図２】本発明の第１実施形態による移動通信システムにおける移動管理装置および移動端末の機能的構成を示すブロック図である。
【図３】第１実施形態による移動通信システムの移動管理制御を示すシーケンス図である。
【図４】第１実施形態の適用例による移動通信システムを示すネットワーク構成図である。
【発明を実施するための形態】
【００１５】
以下、本発明を実施するための形態について図面を参照して詳細に説明する。なお、本発明は、以下に述べる実施形態により限定されるものではない。
【００１６】
まず、図１に示すように、ネットワーク１０に複数のノード、ここでは移動端末１１、通信相手端末１２および複数（Ｎ個）の移動管理装置(MM：Mobility Management)２０．１−２０．Ｎが接続されたシステムを考える。ネットワーク１０は移動通信網を含み、移動端末１１の移動管理に関する複数の管理機能は、後述するように複数の移動管理装置２０．１−２０．Ｎのうちの少なくとも２つの移動管理装置に分散される。
【００１７】
詳しくは後述するが、たとえば移動端末１１が別のセルへ移動すると、予め設定された移動管理装置に対して情報更新登録要求を行う。このような移動端末の状況変化やその際のネットワーク側の環境変化に応じて、移動管理機能の各種管理機能の実行に最も適した移動管理装置が変化することが想定される。そこで、移動端末１１の移動を契機に管理機能の分散先となる移動管理装置を動的に決定することで、移動管理の効率化を達成することができる。
【００１８】
また、移動端末１が移動しなくてもネットワーク１０の状況が変動することも想定できるので、マスタとなる移動管理装置が定期的にネットワークの状況を確認し、それに応じて管理機能の分散先となる移動管理装置を動的に変更することも有意義である。
【００１９】
１．第１実施形態
以下、説明を簡略化するために、移動端末１１のマスタが移動管理装置２０．１であるとし、複数の管理機能が４つの移動管理装置２０．１−２０．４で分散管理される場合を説明する。移動端末１１のマスタである移動管理装置２０．１は、当該移動端末１１の登録処理を行うと、移動端末１１の状況の変化およびネットワーク利用状況の変化に応じて、移動端末１１の移動管理機能の各種機能をそれぞれ最適と判断した他の移動管理装置に委任する。１以上の管理機能を委任された移動管理装置は、その移動端末１１に関しては、委任された管理機能だけを実行する。
【００２０】
１．１）システム構成
図２において、移動端末１１には、無線通信のための通信部などの他に、情報更新要求処理部１０１と管理情報記憶部１０２とが設けられている。
【００２１】
情報更新要求処理部１０１は、定期的に、あるいは移動端末１１が移動した際に、マスタとなる移動管理装置２０．１に対して自身の情報の更新処理を要求する。すなわち、移動管理装置２０．１へ更新要求信号を送信し、移動管理装置２０．１からそれに対する応答信号を受信する。この更新処理は、定期的に行うことも可能であるし、端末主導で任意の時刻に実施すること、あるいはネットワーク側主導で任意の時刻に実施することもできる。移動管理装置２０．１は、移動端末１１の移動に伴う情報更新要求を処理し、移動端末１１が移動した場合でも通信を継続させる。
【００２２】
情報記憶部１０２は、予め設定された端末プロファイル情報、端末自身の動的に変化する情報、および分散管理された各種管理機能を管理している移動管理装置２０．１に関する情報を記憶する。なお、上述した情報更新要求処理部１０１の機能は、移動端末１１のプログラム制御プロセッサ（図示せず。）上でプログラムを実行することにより実現することも可能である。
【００２３】
移動管理装置２０．１−２０．４は基本的に同じ機能的構成を有するので、以下、移動管理装置２０．１について説明する。移動管理装置２０．１は、情報更新要求処理部２０１、位置情報管理部２０２、パス情報管理部２０３、認証情報管理部２０４、端末状態管理部２０５、委任処理部２０６、管理情報記憶部２０７、および制御部２０８を有する。
【００２４】
情報更新要求処理部２０１は、移動端末１１から受信した情報更新要求の情報を管理情報記憶部２０７に保存すると共に、当該移動端末１１に関する更新処理を行った後に、応答信号を移動端末１１へ向けて返信する。
【００２５】
位置情報管理部２０２は、管理情報記憶部２０７に保存された移動端末１１の更新情報と動的に変化するトラヒックなどの環境情報とに応じて、端末の移動に伴う位置管理を行う。また、アンカリング処理あるいは同報処理を行うことにより端末の移動を隠蔽し、通信データが常に端末へ届くように処理する。
【００２６】
パス情報管理部２０３は、管理情報記憶部２０７に保存された移動端末１１の更新情報と動的に変化するトラヒックなどの環境情報とに応じて、通信データが通るパスの管理を行う。
【００２７】
認証情報管理部２０４は、管理情報記憶部２０７に保存された移動端末１１の認証情報の管理を行う。
【００２８】
端末状態管理部２０５は、移動端末１１が通信中か否かの情報を管理する。管理情報記憶部２０７に保存された移動端末１１の状態情報と動的に変化するトラヒックなどの環境情報とに応じて、非通信であれば不要なネットワーク資源を解放することによりシステム全体の効率化を図ることができる。
【００２９】
委任処理部２０６は、移動端末１１の状況情報およびネットワーク利用状況を含む環境情報の変化に応じて、移動端末１１の移動管理に関する複数の管理機能をそれぞれ最適と判断した他の移動管理装置に委任する。逆に、ある移動端末に関して他の移動管理装置から委任された場合には、当該委任された管理機能に対応する管理部（２０２、２０３、２０４、２０５）に対して当該管理機能を実行させる。ここで、委任処理部２０６が他の移動管理装置に委任する管理機能は位置管理機能、パス管理機能、認証管理機能および／または端末状態管理機能であるとする。
【００３０】
制御部２０８は、上述した各機能部（２０１−２０７）を制御することで次に述べる移動管理制御を実行する。なお、移動端末１１の状況情報およびネットワーク利用状況を含む環境情報などは、移動管理装置２０．１が自律的に入手することができるが、一元管理しているサーバ等へアクセスして入手してもよいし、あるいは端末や各種ルータ装置などが自律的に移動管理装置へ通知してもよい。
【００３１】
また、上述した各機能部（２０１−２０６）および制御部２０８は、プログラム制御プロセッサ上でプログラムを実行することにより同等の機能を実現することも可能である。
【００３２】
１．２）移動管理制御
以下、移動管理装置２０．１−２０．４に移動管理に関する各種管理機能を分散させる移動管理制御について詳細に説明する。ここでは、上述したように移動端末１１の端末プロファイルに記録されたマスタは移動管理装置２０．１であるとし、移動管理に関する各種管理機能は、位置管理機能、パス管理機能、認証管理機能および状態管理機能であるとする。また、ここでは、移動管理装置が環境情報ＤＢ（データベース）にアクセスして移動端末の状況あるいはネットワークの環境状況などの情報を入手できるものとする。
【００３３】
図３において、まず、移動端末１１は、電源をオンした後に、ネットワークへのアタッチおよび通信ベアラの確立を行い、最初は端末プロファイルに記録されたマスタである移動管理装置２０．１に対して、情報更新登録要求信号を送信する（ステップ３０１）。ここでは情報更新登録要求信号に移動端末１１の状況情報が含まれているものとする。移動管理装置２０．１の情報更新要求処理部２０１は、移動端末１１から受信した情報更新登録要求信号により情報更新処理を実行するが、その応答を返す前に、次に述べる管理機能の委任処理が実行される。
【００３４】
また、移動端末１１から情報更新登録要求信号を受信すると、制御部２０８は環境情報ＤＢにアクセスし、移動端末１１に関連するネットワーク１０の利用状況などを含む環境情報を取得する（ステップ３０２）。委任処理部２０６は、情報更新登録要求信号に含まれる移動端末１１の状況情報と、取得したネットワーク環境情報と、所定の委任先判定基準とを用いて、移動管理に関連する位置管理機能、パス管理機能、認証管理機能および状態管理機能の４機能の委任先を決定する（ステップ３０３）。この例では、委任先はネットワーク１０に配備されている移動管理装置２０．２−２０．４のうちのいずれかである（ステップ３０４）。委任先判定基準の一例は次の通りである。
【００３５】
位置管理機能に関しては、移動端末１１が活発に移動している（ハンドオーバの回数が所定しきい値より多い）場合には、移動端末１１にできるだけ近い移動管理装置へ、端末があまり移動していない（ハンドオーバの回数が所定しきい値以下の）場合には、コアネットワーク側に近い移動管理装置へ委任することにより、効率的な位置管理ができるといった効果的な委任が可能である。
【００３６】
パス管理機能に関しては、移動端末１１と通信相手端末１２間のパスの中で、ちょうど真ん中付近に配備されている移動管理装置へ委任することにより、パス変更が発生した際に、切り替え処理負荷が少なくできるといった効果的な委任が可能である。
【００３７】
認証管理機能に関しては、最初に認証処理を行った後は、それほど高頻度に更新を行うものではないため、コアネットワーク側のセキュリティ度の高い移動管理装置へ委任することにより、トラヒックの効率化とセキュア度を高く保つことができるといった効果的な委任が可能である。
【００３８】
状態管理機能に関しては、アクセスネットワークのような無線回線区間の資源解放を効率的に行うために、よりアクセスネットワークに近い移動管理装置へ委任することにより、貴重な資源である無線回線を高速にリアルタイム性の高い切り替えができるといった効果的な委任が可能である。
【００３９】
以上の委任先判定基準に従って、ここでは、位置管理機能を移動管理装置２０．２へ委任し（ステップ３０４）、パス管理機能を移動管理装置２０．３へ委任し（ステップ３０５）、状態管理機能を移動管理装置２０．４へ委任し（ステップ３０６）、認証管理機能に関しては委任せずに移動管理装置２０．１が管理する。なお、１つの委任先の移動管理オス値へ複数の管理機能を委任することも可能である。それぞれの委任先から応答を受信することで位置管理機能、パス管理機能および状態管理機能の委任が完了し、移動端末１１に関するこれらの管理機能はそれぞれ移動管理装置２０．２−２０．４により実行される。
【００４０】
それぞれの委任先から応答を受信することで委任処理が完了すると、情報更新要求処理部２０１は情報更新登録要求信号に対する応答信号を移動端末１１へ返信する（ステップ３０７）。その後、移動端末１１と通信相手端末１２間のデータ通信が行われる（ステップ３０８）。
【００４１】
１．３）適用例
図４に示すように、本発明の第１実施形態は、複数のアクセスネットワーク４０１，４０２やコアネットワーク４０３が混在するネットワーク１０に適用することもできる。ここでは、移動管理装置２０．１、２０．４、２０．６−２０．Ｎがネットワーク１０内の異なる地点に配置されており、移動管理装置２０．２がアクセスネットワーク４０１内に、移動管理装置２０．３がコアネットアーク４０３内に、移動管理装置２０．５がアクセスネットワーク４０２内に、それぞれ配備されているものとする。
【００４２】
初めに移動端末１１は、一番近いＢＳ(Base Station：基地局)を経由して、端末プロファイルに記録された移動管理装置２０．１に対して情報更新登録要求信号を送信する。次に、移動管理装置２０．１は、上述したように、移動端末１１の状況変化およびネットワーク利用状況の変化に応じて、上述した委任先判定基準に従って管理機能の委任先の移動管理装置を例えば次のように決定する。
【００４３】
位置管理機能に関しては、移動端末１１が活発に移動している（ハンドオーバの回数が所定しきい値より多い）場合には、移動端末１１にできるだけ近い移動管理装置２０．２へ、端末があまり移動していない（ハンドオーバの回数が所定しきい値以下の）場合には、コアネットワーク４０３に近い移動管理装置２０．３へ委任する。パス管理機能に関しては、移動端末１１と通信相手端末１２ａとの間のパスの中で、ちょうど真ん中付近に配備されている移動管理装置２０．４へ委任する。認証管理機能に関しては、コアネットワーク４０３のセキュリティ度の高い移動管理装置２０．３へ委任する。状態管理機能に関しては、よりアクセスネットワーク４０１に近い移動管理装置２０．２へ委任する。なお、移動端末１１の通信相手が移動端末１３である場合も同様に移動管理機能の委任を行うことができる。
【００４４】
１．４）効果
本実施形態によれば、ネットワークや移動端末の通信状況に応じて、移動端末の移動管理に関する複数の管理機能を各管理機能が有利に実行できるようにそれぞれ他の移動管理装置に分散配備することができ、効率的なシグナリング処理を実行することが可能となる。また、移動端末の処理負荷を軽減することが可能であり、システム全体におけるシグナリングトラヒックによるネットワーク負荷を軽減することが可能である。
【００４５】
２．第２実施形態
上述した第１実施形態では、委任先が移動管理装置であったが、本発明はこれに限定されるものではなく、移動端末に移動管理機能の一部を委任することもできる。
本発明の第２実施形態による移動通信システムの機能的構成は基本的に図２に示したブロック構成と同様であり、移動管理制御も図３に示すシーケンスと同様であるが、委任先に移動端末が含まれている点が異なっている。
【００４６】
図４を参照すると、初めに移動端末１１は、一番近いＢＳ(Base Station：基地局)を経由して、端末プロファイルに記録された移動管理装置２０．１に対して情報更新登録要求信号を送信する。次に、移動管理装置２０．１は、上述したように、移動端末１１の状況変化およびネットワーク利用状況の変化に応じて、上述した委任先判定基準に従って管理機能の委任先として移動管理装置あるいは移動端末を決定する。たとえば、位置管理機能に関しては、移動端末１１が活発に移動している（ハンドオーバの回数が所定しきい値より多い）場合には、移動端末１１にできるだけ近い移動端末へ、端末があまり移動していない（ハンドオーバの回数が所定しきい値以下の）場合にはコアネットワーク４０３に近い移動管理装置２０．３へそれぞれ委任する。パス管理機能に関しては、移動端末１１と通信相手端末１３との間のパスの中でちょうど真ん中付近に配備されている移動端末あるいは移動管理装置２０．４へ委任する。認証管理機能に関しては、コアネットワーク４０３のセキュリティ度の高い移動管理装置２０．３へ委任する。状態管理機能に関しては移動端末１１と同じアクセスネットワーク４０１に接続している移動端末へ委任する。
【００４７】
このように、本実施形態によれば、移動端末の通信状況やネットワークの利用状況に応じて、さらなる柔軟性のある構成をとることができ、さらなる効率的なシグナリング処理が可能な移動通信システムを構築することができる。
【００４８】
３．その他の実施形態
その他の実施形態による移動通信システムは、管理フレームワークとして、例えばMobile IPプロトコルを用いて実現することができる。移動通信システムは、移動端末、移動管理装置およびネットワークから構成されており、移動端末はMobile Node、移動管理装置はHome Agent、ネットワークはその間をつなぐネットワーク（場合によっては外部エージェント(foreign agent)を含むケースも想定される）に対応する。アンカリング機能はMobile IPのベースとなる機能であり、またキャスティング機能は、Mobile IPのSimultaneous Bindingという機能での実現が可能である。
【００４９】
さらに、上記とは異なる移動管理プロトコルで構成をとることもできる。例えば、クライアント機能を端末ではなくエッジノードに搭載したPMIP(Proxy Mobile IP)的な構成もとることも可能である。その場合、移動端末はMobile Nodeおよびエッジノード（MAG： Mobility Access Gateway）、移動管理装置はＬＭＡ（Local Mobility Anchor）、ネットワークはその間をつなぐネットワークに相当する。さらに、移動管理システムを階層的に構成したHMIP(Hierarchical Mobile IP)的な構成や高速なハンドオーバが可能なFMIP(Mobile IP Fast Handovers)的な構成もとることも可能である。
【００５０】
なお、本発明は上述した実施形態に限定されるものではなく、その他各種の付加変更が可能である。また、移動端末、移動管理装置は、その有する機能をハードウェア的に実現することは勿論、コンピュータとプログラムとで実現することができる。当該プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施形態における移動端末、移動管理装置として機能させ、前述した処理を行わせる。
【符号の説明】
【００５１】
１０    ネットワーク（移動通信網）
１１    移動端末
１２    通信相手端末
１３    移動端末
２０    移動管理装置
１０１  情報更新要求処理部
１０２  管理情報更新部
２０１  情報更新要求処理部
２０２  位置情報管理部
２０３  パス情報管理部
２０４  認証情報管理部
２０５  端末状態管理部
２０６  委任処理部
２０７  管理情報記憶部
２０８  制御部
【図１】
2011055319.tif 000003
【図２】
2011055319.tif 000004
【図３】
2011055319.tif 000005
【図４】
2011055319.tif 000006